(57)【要約】【課題】収納袋１０に買い物時の品物ａなどのように、薄い物品や厚い物品を簡単でしかも容易に収納する。【解決手段】多数の収納袋１０を重合させた状態で装着した装置本体に、先端の収納袋の袋口１１を開放させる開放手段３を回動可能に設けた物品の袋収納装置において、開放手段３は、袋口１１から遠い位置に回動自在に設けられたメインガイド３ａと、該メインガイド３ａに折り曲げ可能に連結されて上記開口部２に近接する位置に設けられた先端ガイド３ｂとを備えるものとし、物品投入時に、開放手段３に物品を当てて回動させることによって先端ガイド３ｂの先端を収納袋１０の袋口１１に挿入させて開放するとともに上記物品を上記袋口１１から収納袋１０の内部に収納させた。【選択図】図１
2005075361.tif 000002
【特許請求の範囲】
【請求項１】
多数の収納袋を重合させた状態で装着した装置本体に、先端の収納袋の袋口を開放させる開放手段を回動可能に設けた物品の袋収納装置において、
上記開放手段は、上記袋口から遠い位置に回動自在に設けられたメインガイドと、該メインガイドに折り曲げ可能に連結されて上記開口部に近接する位置に設けられた先端ガイドとを備えるものとし、
物品投入時に、上記開放手段に物品を当てて回動させることによって先端ガイドの先端を上記収納袋の袋口に挿入させて開放するとともに上記物品を上記袋口から上記収納袋の内部に収納させた
ことを特徴とする物品の袋収納装置。
【請求項２】
前記装置本体の開口部の前記収納袋の袋口側の両端に切欠き部を形成した、請求項１記載の物品の袋収納装置。
【請求項３】
前記装置本体の開口部側には、前記収納袋の袋口と反対側に、収納袋の幅よりも小さい袋押え部を形成した、請求項１記載の物品の袋収納装置。
【請求項４】
前記装置本体には、前記収納袋に前記物品を投入可能な大きさと物品の投入位置をガイドする投入用案内口を形成した、請求項１記載の物品の袋収納装置。
【請求項５】
前記装置本体には、前記開放手段と相対する位置よりもやや低い位置に突部が設けられている、請求項１記載の物品の袋収納装置。
【請求項６】
前記先端ガイドの両側に、サイドガイドを回動可能に取り付け、物品投入時には、上記先端ガイドとともにサイドガイドも前記収納袋の袋口に挿入するようにした、請求項１記載の物品の袋収納装置。
【発明の詳細な説明】
【技術分野】
【０００１】
本発明は、買い物時の品物などの物品をポリ袋などの袋に収納する物品の袋収納装置に関するものである。
【背景技術】
【０００２】
一般に、スーパーマーケット等で、豆腐や肉、魚、漬物等の汁もののパックや、胡瓜、茄子などのバラ売りの野菜、あるいは洗剤などを買ったときには、品物をまとめたり、汁や粉が他の品物に移ったりしないように、レジ係や買い物客自身が品物を収納できるように、いわゆるポリ袋（ポリエチレン袋）を準備している。
【０００３】
従来は、レジ係や買い物客自身が手作業でポリ袋に品物を収納するものであり、レジ係の場合はレジ台に予めポリ袋の口を開いて準備しており、すぐに品物を迅速に収納することができるようにしていた。また、買い物客が品物を収納するときは、ロール状になっているポリ袋の連結体から１個のポリ袋を切り取り、袋口を開いて収納していた。
【０００４】
ところが、レジ台のポリ袋の場合は、すぐに品物を迅速に収納することができるように、多数のポリ袋の袋口を開いた状態で準備しておかなければならないので、準備作業が面倒であった。また、買い物客が品物を収納するときは、ポリ袋の袋口を開いて収納しなければならないので、この作業も煩わしいものであった。
【０００５】
そこで、ポリ袋になるべく簡単に品物を入れることのできる装置が求められている。このようなものとして、例えば降雨時に傘をビニール袋に入れる装置（特許文献１）を転用することが考えられる。
【特許文献１】特許第２５６２８０６号公報
【発明の開示】
【発明が解決しようとする課題】
【０００６】
しかしながら、傘の大きさはほとんど同じであるから、袋の開口装置は比較的単純でよいが、買い物の品物のように、大きさが一定しないものには適しない。
【０００７】
本発明は前記事情に鑑みて成立したもので、収納袋に買い物時の品物などのように、薄い物品や厚い物品を簡単でしかも容易に収納することができる物品の袋収納装置を提供することをその課題とする。
【課題を解決するための手段】
【０００８】
前記課題を解決するため、本発明に係る物品の袋収納装置は、多数の収納袋を重合させた状態で装着した装置本体に、先端の収納袋の袋口を開放させる開放手段を回動可能に設けた物品の袋収納装置において、上記開放手段は、上記袋口から遠い位置に回動自在に設けられたメインガイドと、該メインガイドに折り曲げ可能に連結されて上記開口部に近接する位置に設けられた先端ガイドとを備えるものとし、物品投入時に、上記開放手段に物品を当てて回動させることによって先端ガイドの先端を上記収納袋の袋口に挿入させて開放するとともに上記物品を上記袋口から上記収納袋の内部に収納させたことを特徴とする。
【０００９】
なお、前記装置本体の開口部の前記収納袋の袋口側の両端に切欠き部を形成するのが好ましい。
【００１０】
また、前記装置本体の開口部側には、前記収納袋の袋口と反対側に、収納袋の幅よりも小さい袋押え部を形成するのがよい。
【００１１】
さらに、前記装置本体には、前記収納袋に前記物品を投入可能な大きさと物品の投入位置をガイドする投入用案内口を形成するのが望ましい。
【００１２】
また、前記装置本体には、前記開放手段と相対する位置よりもやや低い位置に突部が設けるのが好ましい。
【００１３】
また、前記先端ガイドの両側に、サイドガイドを回動可能に取り付け、物品投入時には、上記先端ガイドとともにサイドガイドも前記収納袋の袋口に挿入するのがよい。
【発明の効果】
【００１４】
請求項１に係る発明によれば、収納袋の袋口の開放手段は、上記袋口から遠い位置に回動自在に設けられたメインガイドと、該メインガイドに折り曲げ可能に連結されて上記開口部に近接する位置に設けられた先端ガイドとを備えるものとし、物品投入時に、上記開放手段に物品を当てて回動させることによって先端ガイドの先端を上記収納袋の袋口に挿入させて開放するとともに上記物品を上記袋口から上記収納袋の内部に収納させるものとしたので、最初に先端ガイドが回動し、薄い物品を収納するときはメインガイドが少し回動し、厚い物品を収納するときはメインガイド大きく回動することになるので、物品の厚薄にあまり影響されず、簡単でしかも容易に収納することができる。
【００１５】
請求項２に係る発明によれば、装置本体の開口部の前記収納袋の袋口側の両端に切欠き部を形成したので、先端ガイドによって袋口の中央部が引き出されたときは、袋口の両端は中央部に追従することができる。このため、袋口はスムーズに開き、品物を確実に内部に納めることができる。
【００１６】
請求項３に係る発明によれば、前記装置本体の開口部側には、収納袋の袋口と反対側に、収納袋の幅よりも小さい袋押え部が形成されているので、先端ガイドが袋口に入りこみ、メインガイドが回動して収納袋の前面シートが前方に引っ張られても、上記袋押え部によってポリ袋の両側部が押えられて前方に引っ張られることはない。このため、袋口は確実に開口し、物品を受け入れることができる。
【００１７】
請求項４に係る発明によれば、装置本体には、前記収納袋に前記物品を投入可能な大きさと物品の投入位置をガイドする投入用案内口を形成しているので、案内口の開口領域よりも小さい品物であれば、幅広で薄いものでも、幅狭で厚いものでもポリ袋の袋口に投入することが可能であり、また品物は常に上記投入用案内口からしか投入できないので、品物が袋口の端に当ってしまうことは良好に防止できる。
【００１８】
請求項５に係る発明によれば、メインガイドと装置本体前面との間の間隔は指の太さよりも広くなるように形成することにより、指が挟まれてしまうことは確実に防止される。また、装置本体前面に突部が設けられているから、薄い品物を投入するときにこの突部が邪魔をしてストレートに落としこむことはできない。いったん品物を装置本体前面から離し、メインガイドに当るように移動させながら落としこまなければならない。このため、メインガイドと先端ガイドが全体的に回動するので、袋口は十分に開き、薄い品物でも確実にポリ袋内に収納させることができる。
【００１９】
請求項６に係る発明によれば、先端ガイドの両側に、サイドガイドを回動可能に取り付け、物品投入時には、上記先端ガイドとともにサイドガイドも収納袋の袋口に挿入する構成であるから、幅が広く薄い品物を投入するとき、先端ガイドとサイドガイドが同時に袋口内に挿入されるから、収納袋は左右に広い状態で開口される。また、厚い品物の場合は、先端ガイドは装置本体前面からより遠く遠ざかるように移動するに伴い、サイドガイドも同方向に移動するが、それにつれて収納袋の左右はすぼまっていくので、サイドガイドもメインガイドに対して折れ曲がる。したがって、袋口の高さは高くなる。しかも、バネの力と袋口の張力が釣り合ってサイドガイドは目いっぱいに袋口を広げるように作用する。したがって、厚い品物でも十分に袋口内に入れることができる。
【発明を実施するための最良の形態】
【００２０】
図１は物品の袋収納装置の一実施例の斜視図、図２はその縦断面図であって、上記袋収納装置は、多数の収納袋１０を重合させた状態で装置本体１に装着し、装置本体１の開口部２に先端の収納袋（ポリ袋）１０の袋口１１を開放させる開放手段３を回動可能に設けたものである。
【００２１】
装置本体１は箱形で、内部にポリ袋１０を重ねた状態で収納する収納部４が形成されている。装置本体１の前面には開口部２が形成されている。開口部２の大きさはポリ袋１０の大きさよりも小さくなるように設定されている。
【００２２】
ポリ袋１０は図３に示されるように、前面側が低く、背面側が高い２枚のシート１０ａ、１０ｂの両側と底部とが接合されているものである。背面シート１０ｂの上部には横に１対の穴１２が形成されている。各穴１２の上にはミシン目１３が形成されている。
【００２３】
開口部２の上方の前板の背面側にはポリ袋支持用のロッド１７が突設され、該ロッド１７は重ねられたポリ袋１０の穴１２に貫通されてポリ袋１０を吊り下げ状態に装着している。
【００２４】
ポリ袋１０の背面側は押圧板７によって前面側に押圧されている。押圧板７の背面側にはガイドロッド５が突設され、ガイドロッド５は装置本体１の背面板ガイドロッド５にはバネ６が取り付けられている。このバネ６により、押圧板７は常に前方に付勢されている。
【００２５】
なお、開口部２の上縁は、最前部（先端）のポリ袋１０の前面側シート１０ａの高さよりやや高くなるように形成されている。また、開口部２の幅寸法はポリ袋１０の幅寸法とほぼ同じになるように形成されている。最前部のポリ袋１０がロッド１７から外されたときに、次のポリ袋１０の袋口１１が露出する程度に形成されていればよい。
【００２６】
ポリ袋１０の袋口１１の開放手段３は、装置本体１の上部両側から前方に突出したブラケット８の装置本体１から遠い位置に設けられたメインガイド３ａと、上記袋口１１に近接する位置に設けられた先端ガイド３ｂとによって構成されている。両側のブラケット８の前端は支持軸９とその下部のストッパ１４とによって連結されている。
【００２７】
メインガイド３ａはプレート状に形成され、支持軸９の中央に回動自在に取り付けられている。メインガイド３ａの一端には直角の屈曲片１５が形成され、その裏側はストッパ１４に当るように形成されている。また、メインガイド３ａと屈曲片１５との内角部には方形板１６が固定されている。方形板１６には嵌合穴が形成され、メインガイド３ａは嵌合穴に上記支持軸９を嵌合させることにより、支持軸９に回動自在に支持されている。また、支持軸９には弦巻バネ１８が取り付けられ、メインガイド３ａの屈曲片１５がストッパ１４に当り、メインガイド３ａは常時水平状態になっているように付勢されている。
【００２８】
メインガイド３ａは、水平状態のときに装置本体１側の端部が装置本体１の前面の手前位置まで延びる程度に形成されている。そして、メインガイド３ａの装置本体１側の端部には、回動軸１９を介してプレート状の先端ガイド３ｂが回動自在に取り付けられ、先端ガイド３ｂはメインガイド３ａに折り曲げ可能に連結されている。回動軸１９にも弦巻バネ２０が取り付けられ、先端ガイド３ｂを常時上方に跳ね上げる方向に付勢している。通常は、メインガイド３ａが水平状態となり、先端ガイド３ｂは装置本体１の前面開口部２に露出しているポリ袋１０の袋口１１の上部に位置するように構成されている。
【００２９】
次に、上記構成の袋収納装置の使用態様を図４〜図７によって説明する。スーパーマーケットなどで購入した品物ａをポリ袋１０に収納するに際し、開放手段３上に品物ａを落としこむと、開放手段３は下方に回動して傾くから、先端ガイド３ｂはその先端が最前部のポリ袋１０の前面に沿ってずり落ちていく。その途中で先端ガイド３ｂの先端が上記ポリ袋１０の袋口１１に挿入され、さらにメインガイド３ａが回動していくにつれ、先端ガイド３ｂは上記ポリ袋１０から離れる方向にも移動していくので、袋口１１を引き出してその口を大きく拡開させる。品物ａは先端ガイド３ｂに案内されてさらに降下し、袋口１１の内側からポリ袋１０の内部に収納される。そして、品物ａがポリ袋１０の底部まで降下したとき、ポリ袋１０を品物ａとともに強制的に引くと、ポリ袋１０の背面側のシート１０ｂの穴１２がミシン目１３から破れてロッドから外れる。後は、品物ａの入ったポリ袋１０を買い物かごや買い物袋の中に収めればよい。
【００３０】
このように、メインガイド３ａに品物ａを落としこむと、メインガイド３ａは傾き、先端ガイド３ｂはその先端が最前部のポリ袋１０の前面に沿ってずり落ちていく途中で上記ポリ袋１０の袋口１１に入り込み、袋口１１を引き出してその口を大きく拡開させる。ところが、図８に示されるように、装置本体１の前面開口部２の上縁２ａが単に直線状に形成されているときは、袋口１１の両端は開口部２の上縁で押えられているから、先端ガイド３ｂが袋口１１を引き出したときに引き出されにくい。このため、例えば、品物ａを乱暴に落としこんだときなど、袋口１１の両端は引っ張られて切れたり変形したりしてしまうことがある。
【００３１】
そこで、図９のように開口部２の上縁の左右両端には開口部２と連続する切欠き部２１が形成されている。この切欠き部２１は、最前部のポリ袋１０の開口部１１の高さよりも高くなるように形成されている。また、その両側の切欠き部２１の外側の端部間の寸法はポリ袋１０の幅と同じかそれよりも大きくなるように形成されている。
【００３２】
上記構成によれば、袋口１１の両端は開口部２の切欠き部２１によってフリーになっているので、先端ガイド３ｂによって袋口１１の中央部が引き出されたときは、袋口１１の両端は中央部に追従することができる。このため、袋口１１はスムーズに開き、品物ａを確実に内部に納めることができる。
【００３３】
ところで、開口部２の幅寸法がポリ袋１０の幅と同じかそれよりも大きくなっているときは、厚みのある品物ａを収納する場合、図１０および図１１に示されるように、先端ガイド３ｂが袋口１１に入り込み、メインガイド３ａが回動して先端ガイド３ｂが前方に移動していくにつれ、ポリ袋１０の前面シート１０ａも前方に引っ張られ、これによって袋口１１が拡開していくことになっている。しかし、前面シート１０ａと背面シート１０ｂとは密着しているとともに、前部のポリ袋１０と重なっている後部のポリ袋１０も静電気によって密着している。したがって、前面シート１０ａが前方に引っ張られると、背面シート１０ｂも前方に引っ張られてしまうので、袋口１１の高さは低く抑えられ、うまく開口できない。また、先端ガイド３ｂが最下端まで降りた後、上昇していくときに、次位のポリ袋１０の前面シート１０ａをずり上げてしまい、次段の収納のときに先端ガイド３ｂの先端がうまくポリ袋１０の袋口１１に入りこむことができないことがある。
【００３４】
そこで、図１２に示されるように、開口部２の下部両側には収納部４に収納されたポリ袋１０の前面両側部を押える袋押え部２２が形成されている。この袋押え部２２間の寸法はポリ袋１０の幅よりも小さくなるように設定されている。
【００３５】
なお、ここで、袋押え部は開口部の片側だけでもよく、また、袋押え部は部分的に袋を押える形状でもよい。
【００３６】
上記構成によれば、先端ガイド３ｂが袋口１１に入りこみ、メインガイド３ａが回動して前面シート１０ａが前方に引っ張られても、上記袋押え部２２によってポリ袋１０の両側下部が押えられるので、収納袋１０の両側部は前方に引っ張られることはない。このため、袋口１１の高さが十分になって開口し、品物ａを受け入れることができる。また、先端ガイド３ｂが最下端まで降り、上記ポリ袋１０が外された後、次位のポリ袋１０が前部に現われるが、このポリ袋１０の両側も袋押え部２２によって押えられているので、先端ガイド３ｂが上昇していくときに、上記ポリ袋１０の前面シート１０ａをずり上げてしまうという不都合は防止される。
【００３７】
また、図１４に示されるように、品物ａを投入する場合、品物ａを片側に寄せて落としこむと、品物ａが袋口１１の端に当ってしまい、うまく収納させることができないことがある。同様に、袋口１１よりも広い品物ａもポリ袋１０の袋口１１に入れることはできない。
【００３８】
そこで、メインガイド３ａの上部に、図１５のようなポリ袋１０に収納できる品物ａの投入可能な大きさと品物ａの投入位置をガイドする上板２３が配置されている。上板２３には投入用案内口２４が形成されている。この案内口２４は、装置本体１の前面を下底とし、袋口１１を最大に引っ張り出したときの先端ガイド３ｂを上底とする台形状に形成されている。
【００３９】
したがって、図１６に示されるように、この案内口２４の開口領域Ｓよりも小さい品物ａであれば、幅広で薄いものでも、幅狭で厚いものでもポリ袋１０の袋口１１に投入することが可能であり、また品物ａは常に上記案内口２４からしか投入できないので、品物ａが袋口１１の端に当ってしまうことは良好に防止できる。
【００４０】
次に、図１７に示されるように、特に薄い品物ａ１を投入するときに、メインガイド３ａと装置本体１の前面との間に指２５が挟まれてしまうことがある。その対策としては、メインガイド３ａと装置本体１前面との間の間隔を広くすればよい。しかし、上記間隔を広くすると、図１８のように、この間隔よりも薄い品物ａを投入したときに、品物ａはメインガイド３ａに当らないので、メインガイド３ａが回動できない。このため、袋口１１を開くことができないという問題がある。
【００４１】
そこで、図１９のように、装置本体１前面の、開放手段３と相対する位置よりもやや低い位置に突部２６が設けられている。また、メインガイド３ａと装置本体１前面との間の間隔は指２５の太さよりも広くなるように形成されている。
【００４２】
上記構成によれば、メインガイド３ａと装置本体１前面との間の間隔は指２５の太さよりも広くなるように形成されているから、図２０に示されるように、指２５が挟まれてしまうことは確実に防止される。また、装置本体１前面に突部２６が設けられているから、薄い品物ａ１を投入するときにこの突部２６が邪魔をしてストレートに落としこむことはできない。いったん品物ａ１を装置本体１前面から離し、メインガイド３ａに当るように移動させながら落としこまなければならない。このため、メインガイド３ａと先端ガイド３ｂが全体的に回動するので、袋口１１は十分に開き、薄い品物ａ１でも確実にポリ袋１０内に収納させることができる。
【００４３】
また、幅が広く薄い品物ａ１を投入するときには、袋口１１を広く広げる必要がある。そのためには、先端ガイド３ｂの幅を広くする必要がある。しかし、先端ガイド３ｂを広くすると、袋口１１の高さを高くすることができないから、幅が狭く厚い品物ａを投入するときに対応することができないという問題がある。
【００４４】
そこで、図２１のように、先端ガイド３ｂの両側にサイドガイド３ｃを回動可能に取り付ける。サイドガイド３ｃは先端ガイド３ｂよりも小さく、先端ガイド３ｂの両側端より少し内側に配置された回動軸２７を介して先端ガイド３ｂに連結されている。また、回動軸２７に取り付けられたバネ２８によって、サイドガイド３ｃは常時先端ガイド３ｂの面方向と同じになるように付勢されている。さらに、先端ガイド３ｂとサイドガイド３ｃとの幅の合計はポリ袋１０の袋口１１の幅よりもやや小さくなるように形成する。
【００４５】
上記構成によれば、図２２および図２３に示されるように、幅が広く薄い品物ａ１を投入するとき、メインガイド３ａが薄い品物ａ１に当接して回動し、品物下端を先端ガイド３ｂに当てて落としこむと、先端ガイド３ｂとサイドガイド３ｃは同時に袋口１１内に挿入されるが、先端ガイド３ｂは回動軸２７を中心に下方に回動するにつれて装置本体１前面から遠ざかるように移動する。同時に、サイドガイド３ｃも同方向に移動する。これに伴ない、ポリ袋１０の袋口１１は左右に広い状態で開口される。したがって、幅が広く薄い品物ａ１を十分に袋口１１内に入れることができる。
【００４６】
また、厚い品物ａ２の場合は、図２４のように、メインガイド３ａが大きく回動するので、先端ガイド３ｂは装置本体１前面からより遠く遠ざかるように移動する。同時に、サイドガイド３ｃも同方向に移動するが、それにつれてポリ袋１０の前面シート１０ａの左右はすぼまっていくので、サイドガイド３ｃもメインガイド３ａに対して回動し、折れ曲がる。したがって、袋口１１の高さは高くなる。しかも、バネ２８の力と袋口１１の張力が釣り合ってサイドガイド３ｃは目いっぱいに袋口１１を広げるように作用する。したがって、厚い品物ａ２でも十分に袋口１１内に入れることができる。
【００４７】
なお、サイドガイド３ｃは先端ガイド３ｂと別体ではなく、合成樹脂板などにより一体に形成し、サイドガイド３ｃが先端ガイド３ｂに対して撓むように形成してもよい。
【００４８】
ところが、袋口１１の開口高さに合わせて開口幅を調整できるように、先端ガイド３ｂの両側にサイドガイド３ｃを折り曲げ可能にしたとき、図２５のように、その回動軸２７は、袋口１１に投入される品物ａの側に配置されているので、品物ａが回動軸２７に当って引っ掛かり、傷つくことがある。
【００４９】
このような不都合が発生しないようにするには、図２６に示されるように、メインガイド３ａの先端２９を先端ガイド３ｂの回動軸２７の取り付け位置よりも突出させればよい。これによれば、品物ａを袋口１１に投入する場合、先端ガイド３ｂおよびサイドガイド３ｃの回転軸部分は品物ａから遠ざかる位置にあるため、品物ａが回動軸部分の突起に当ることがなくなり、傷がつくことがない。
【００５０】
なお、回動軸２７を合成樹脂製のカバー材（図示せず）で覆う構成にしてもよい。
【００５１】
また、物品の収納袋はポリエチレン製に限定されるものでなく、他の合成樹脂袋、紙袋等でもよい。
【００５２】
さらに、装置本体を横又は傾斜した構成にして使用するようにしてもよい。
【図面の簡単な説明】
【００５３】
【図１】物品の袋収納装置の斜視図である。
【図２】上記袋収納装置の縦断面図である。
【図３】ポリ袋を重ねた状態の斜視図である。
【図４】上記袋収納装置の使用状態を示す縦断面図である。
【図５】上記袋収納装置の使用状態を示す縦断面図である。
【図６】上記袋収納装置の使用状態を示す縦断面図である。
【図７】上記袋収納装置の使用状態を示す縦断面図である。
【図８】装置本体の開口部の不都合を示す斜視図である。
【図９】上記不都合を解決した袋収納装置の斜視図である。
【図１０】装置本体の開口部の他の不都合を示す斜視図である。
【図１１】上記不都合を示す使用状態の縦断面図である。
【図１２】上記不都合を解決した袋収納装置の斜視図である。
【図１３】上記袋収納装置の斜視図である。
【図１４】装置本体のさらに他の不都合を示す斜視図である。
【図１５】上記不都合を解決した袋収納装置の斜視図である。
【図１６】上記袋収納装置の案内口を示す平面図である。
【図１７】装置本体の別の不都合を示す斜視図である。
【図１８】装置本体の別の不都合を示す斜視図である。
【図１９】上記不都合を解決した袋収納装置の使用状態の斜視図である。
【図２０】上記袋収納装置の他の使用状態を示す斜視図である。
【図２１】（ａ）（ｂ）はそれぞれ先端ガイドの正面図および平面図である。
【図２２】上記不都合を解決した袋収納装置の使用状態の平面図である。
【図２３】図２２の中央縦断面図である。
【図２４】袋口の開口状態を示す平面図である。
【図２５】上記袋収納装置のさらに別の不都合を示す縦断面図である。
【図２６】上記不都合を解決した袋収納装置の使用状態の平面図である。
【符号の説明】
【００５４】
１  装置本体
３  開放手段
３ａ  メインガイド
３ｂ  先端ガイド  
１０  収納袋
１１  袋口
２１  切欠き部
【図１】
2005075361.tif 000003
【図２】
2005075361.tif 000004
【図３】
2005075361.tif 000005
【図４】
2005075361.tif 000006
【図５】
2005075361.tif 000007
【図６】
2005075361.tif 000008
【図７】
2005075361.tif 000009
【図８】
2005075361.tif 000010
【図９】
2005075361.tif 000011
【図１０】
2005075361.tif 000012
【図１１】
2005075361.tif 000013
【図１２】
2005075361.tif 000014
【図１３】
2005075361.tif 000015
【図１４】
2005075361.tif 000016
【図１５】
2005075361.tif 000017
【図１６】
2005075361.tif 000018
【図１７】
2005075361.tif 000019
【図１８】
2005075361.tif 000020
【図１９】
2005075361.tif 000021
【図２０】
2005075361.tif 000022
【図２１】
2005075361.tif 000023
【図２２】
2005075361.tif 000024
【図２３】
2005075361.tif 000025
【図２４】
2005075361.tif 000026
【図２５】
2005075361.tif 000027
【図２６】
2005075361.tif 000028